(57)【特許請求の範囲】
【請求項１】
建屋内に設置されているプレハブ冷却貯蔵庫の天壁を、建屋の構造物と連結して吊っているプレハブ冷却貯蔵庫用天井吊り具において、プレハブ冷却貯蔵庫の天壁に取り付けられているとともに、天壁の上面と間隔を有して配置されているＣ型鋼からなる梁と、スライド可能な状態でこの梁の外側に嵌められている筒状の連結具と、建屋の構造物から垂下しているとともに、下端部がこの連結具と係合している吊りロッドとを備えていることを特徴とするプレハブ冷却貯蔵庫用天井吊り具。
【請求項２】
建屋内に設置されているプレハブ冷却貯蔵庫の天壁を、建屋の構造物と連結して吊っているプレハブ冷却貯蔵庫用天井吊り具において、プレハブ冷却貯蔵庫の天壁に取り付けられているＣ型鋼からなる梁と、この梁に取り付けられているとともに、係合穴を具備する筒状の連結具と、建屋の構造物から垂下している吊りロッドと、この吊りロッドの下端に設けられているとともに、連結具の係合穴に引っ掛けられているフックとを備えていることを特徴とするプレハブ冷却貯蔵庫用天井吊り具。
【発明の詳細な説明】
【０００１】
【発明の属する技術分野】
本発明は、建屋内に設置されているプレハブ冷却貯蔵庫の天壁を、建屋の構造物と連結して吊っているプレハブ冷却貯蔵庫用天井吊り具に関する。
【０００２】
【従来の技術】
従来この種のプレハブ冷却貯蔵庫用天井吊り具は、たとえば実開平５−１６９２７号公報（Ｅ０４Ｂ９／１８）などに記載されている。この従来のプレハブ冷却貯蔵庫用天井吊り具を図７ないし図９を用いて説明する。図７はプレハブ冷却貯蔵庫の天壁に取り付けられている従来の天井吊り具の断面図である。図８は従来のプレハブ冷却貯蔵庫用天井吊り具の斜視図である。図９はプレハブ冷却貯蔵庫用天井吊り具に引っ張り力が加わり変形した状態を示す側面図である。
【０００３】
プレハブ冷却貯蔵庫の天壁０１に、梁固定金具０２を介して、梁０３が固定されている。この梁０３はＣ型鋼からなり、その上板部０４には、吊りボルト取付穴０６が形成されている。この吊りボルト取付穴０６に、建屋の天井梁などの構造物から垂下している吊りボルト０７の下端が挿入され、吊りボルト０７の下端が上下一対のナット０８で、梁０３の上板部０４に堅固に固定されている。吊りボルト０７は、引っ張り力に対しては強度を有しているが、圧縮力に対しては強度が小さく、大きな圧縮力が加わると、変形して曲がることがある。
【０００４】
【発明が解決しようとする課題】
ところで、前述のように、梁０３はＣ型鋼で構成されており、図９に図示するように、吊りボルト０７が、梁０３の上板部０４を上方に大きな力で引っ張ると（言い換えると、庫内の気圧が低下してプレハブ冷却貯蔵庫の天壁０１が下方に変位すると）、開いた状態に変形することがある。したがって、梁０３の強度を確保するために、比較的大型の梁０３を用いる必要がある。そのため、梁０３をプレハブ冷却貯蔵庫上に持ち上げるのに労力を要するとともに、材料コストや重量などが増大する。
【０００５】
また、吊りボルト０７の取付位置は、吊りボルト取付穴０６が形成されている位置で確定するので、建屋の構造物に合わせて、吊りボルト０７の取付位置を調整する際に、建屋に補強部材を追加したり、梁０３に新たに吊りボルト取付穴０６を形成したりする必要が生じ、手間が掛かる。さらに、梁０３に吊りボルト取付穴０６が穿たれているので、梁０３の強度が低下する。
【０００６】
プレハブ冷却貯蔵庫の庫内の気圧は、庫内温度の変動などにともなって、変動している。そして、庫内の気圧が上昇して、プレハブ冷却貯蔵庫の天壁０１が上昇して反ることがある。そして、吊りボルト０７、梁０３や天壁０１は、ボルトなどで堅固に固定されており、変形量を逃すことができず、天壁０１を構成する断熱パネルが破壊したり、吊りボルト０７が曲がったりする。
【０００７】
本発明は、以上のような課題を解決するためのもので、取付位置を簡単に調整したり、また、庫内の気圧の上昇に伴うプレハブ冷却貯蔵庫の天壁の変形量を逃したりすることができるプレハブ冷却貯蔵庫用天井吊り具を提供することを目的とする。
【０００８】
【課題を解決するための手段】
本発明のプレハブ冷却貯蔵庫用天井吊り具は、建屋内に設置されているプレハブ冷却貯蔵庫の天壁（４）を、建屋の構造物と連結して吊っている。そして、請求項１記載の発明では、天井吊り具は、プレハブ冷却貯蔵庫の天壁に取り付けられているとともに天壁の上面と間隔を有して配置されているＣ型鋼からなる梁（１８）と、スライド可能な状態で梁の外側に嵌められている筒状の連結具（２６）と、建屋の構造物から垂下しているとともに下端部がこの連結具と係合している吊りロッド（４１）とを備えている。
【０００９】
また、請求項２記載の発明では、天井吊り具は、プレハブ冷却貯蔵庫の天壁に取り付けられているＣ型鋼からなる梁と、この梁に取り付けられているとともに係合穴（３６）を具備する筒状の連結具と、建屋の構造物から垂下している吊りロッドと、この吊りロッドの下端に設けられているとともに連結具の係合穴に引っ掛けられているフック（４２）とを備えている。
【００１０】
【発明の実施の形態】
次に、本発明におけるプレハブ冷却貯蔵庫用天井吊り具の実施の一形態を図１ないし図６を用いて説明する。図１は実施の形態のプレハブ冷却貯蔵庫用天井吊り具の正面図である。図２は図１の II-II断面図である。図３は横から見た吊りロッドの下端部、連結具および梁の図である。図４は梁同士を連結している連結具の斜視図である。図５は連結具の位置調整を説明するための斜視図である。図６は天井吊り具が取り付けられているプレハブ冷却貯蔵庫の斜視図である。
【００１１】
プレハブ冷却貯蔵庫である断熱プレハブ冷蔵庫の貯蔵庫本体１は、断熱パネル２を複数連結することにより構成され、この断熱パネル２には、プレハブ冷却貯蔵庫の側壁を構成する側板パネル３と、天壁を構成する天井パネル４と、床板を構成する床板パネル６とがある。また、貯蔵庫本体１には、図示しない断熱扉が開閉自在に取り付けられている。
【００１２】
断熱パネル２は、庫内側面材１１と庫外側面材１２とを互いに間隔を有して対向して配置し、この両面材１１，１２間の空間の端部を枠材１３で閉じた後に、空間内に発泡ウレタンなどの断熱材１４を注入発泡して形成されている。そして、天井パネル４の枠材１３に、板金製の梁固定具１６がその下部を係合して取り付けられている。この梁固定具１６の上部は、天井パネル４の上面すなわち庫外側面材１２よりも上方に突出しており、梁１８がボルト１９で取り付けられて固定されている。この梁固定具１６は、一本の梁１８に対して複数取り付けられている。この様にして、梁１８は、梁固定具１６を介して天井パネル４に取り付けられているとともに、天井パネル４の上面に対して間隔を有して上方に配置されている。
【００１３】
梁１８はＣ型鋼からなり、上板部２１、下板部２２および、上板部２１の一端部と下板部２２の一端部とを連結する略垂直な垂直板２３を具備する。そして、梁１８の上板部２１の他端部と下板部２２の他端部とは、連結されずに開口している。また、梁１８の下板部２２は、天井パネル４の上面と間隔を有しており、隙間が形成されている。
【００１４】
また、梁１８の外側には、断面略矩形の筒状の連結具２６がスライド可能に嵌め込まれている。連結具２６は、上板部３１、下板部３２および、上板部３１の端部と下板部３２の端部とを連結する一対の略垂直な垂直板３３，３４を具備し、連結具２６の内部空間は、梁１８を略丁度挿入することができる形状および大きさである。そして、一方の垂直板３３は上板部３１よりも上方に延在し、この突出部に略円形の係合穴３６が形成されている。したがって、この係合部である係合穴３６は、開口面が略垂直となる様に配置されている。
【００１５】
そして、この連結具２６の係合穴３６に、吊りロッド４１の下端のフック４２が引っ掛けられて係合している。係合穴３６の直径は、このフック４２の直径よりも大きく形成されている。ところで、プレハブ冷却貯蔵庫は図示しない建屋内に設置されており、吊りロッド４１の上部は、この建屋の構造物たとえば梁などにボルトなどで取り付けられて固定されている。また、吊りロッド４１の中間部にはターンバックル４３が設けられ、吊りロッド４１の長さを調整できる。そして、プレハブ冷却貯蔵庫用天井吊り具は、これら梁固定具１６、梁１８、連結具２６、吊りロッド４１などで構成されている。
【００１６】
この様に構成されているプレハブ冷却貯蔵庫において、断熱扉が開閉された際などには、外気が庫内に侵入して、庫内温度が上昇することがある。この庫内温度の上昇に伴って、庫内の気圧が上昇し、プレハブ冷却貯蔵庫の天壁が浮き上がって反る場合がある。この様な場合には、天井パネル４、梁固定具１６、梁１８および連結具２６は、上方へ移動する。しかしながら、吊りロッド４１は、下端のフック４２が連結具２６の係合穴３６に引っ掛かっているだけなので、連結具２６の上方への移動は、係合穴３６で少なくとも係合穴３６とフック４２との直径の差分は許容されており、吊りロッド４１が上方へ移動したり、吊りロッド４１に圧縮力が加わったりすることはない。また、吊りロッド４１が天井パネル４に対して下方に押す力を加えることもない。その結果、天井パネル４が破損したり、吊りロッド４１が曲がったりすることを防止することができる。一方、この庫内が図示しない冷却器で冷却され、庫内温度が低下すると、それに伴って、庫内の気圧も低下する。すると、プレハブ冷却貯蔵庫の天壁は沈みこもうとするが、天井吊り具が天壁を引っ張り上げて補強しているので、天壁の沈みこみを防止することができる。
【００１７】
また、前述の様に、吊りロッド４１の上端は、建屋の構造物に固定されているが、建屋の構造物に合わせて吊りロッド４１の配置位置を変更する場合がある。この様な場合には、図５に図示する様に、連結具２６を梁１８に沿ってスライドさせて、吊りロッド４１の位置を簡単に変更することができる。
【００１８】
さらに、図４に図示する様に、梁１８同士を連結する場合には、連結具２６の一方の端部に第１の梁１８の端部を挿入するとともに、連結具２６の他方の端部に別の第２の梁１８の端部を挿入する。この様にして、連結具２６の内部で、梁１８を連結することができる。この様に、天井吊り具の連結具２６を利用して、梁１８同士を連結しているので、梁１８同士を連結する金具を、別途設ける必要がなくなり、部品点数が減少するとともに、施工性が良好となる。
【００１９】
前述の様に実施の形態においては、梁１８が筒状の連結具２６に挿入されているので、連結具２６で梁１８を補強することができる。特に、梁１８がＣ型鋼の場合には、梁１８が変形して開くことがあるが、連結具２６で梁１８の開きを防止することができる。その結果、高価なＨ型鋼などではなく安価なＣ型鋼を用いることができるとともに、軽量化できる。
【００２０】
また、建屋の構造物と連結具とは吊りロッドで連結されており、比較的高価なチェーンなどで連結した場合よりも、安価に構成することができる。
【００２１】
さらに、従来は、吊りボルト取付穴０６が梁０３に形成されていたが、この実施の形態の梁１８には、取付穴が形成されておらず、強度を向上させることができる。
【００２２】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、梁１８はＣ型鋼であるが、別の形状や構造であることも可能である。また、断熱パネル２は、断熱性を有しているならば、その構造や材質などは適宜変更可能である。
【００２３】
（２）実施の形態においては、係合穴３６は略円形であるが、他の形状でも可能である。
（３）プレハブ冷却貯蔵庫の天壁への梁の取付は、梁を天壁に取り付けることができるならば、その取付構造などは適宜変更可能である。
【００２４】
【発明の効果】
本出願の請求項１記載の発明によれば、スライド可能な状態で梁の外側に筒状の連結具が嵌められているので、連結具を梁に対してスライドさせることにより、吊りロッドと梁との連結位置を変更することができる。したがって、プレハブ冷却貯蔵庫が設置されている建屋の構造物などを考慮して、吊りロッドの取付位置を簡単に変更することができる。その結果、吊りロッドを取り付けるための建屋の補強などを極力少なくすることができる。しかも、連結具は筒状をしており、連結具に挿入されている梁の変形を防止しており、この連結具で梁を補強することができる。
【００２５】
また、本出願の請求項２記載の発明によれば、吊りロッドのフックが、連結具の係合穴に引っ掛けられている。ところで、扉の開閉や冷却器による庫内の冷却などにより、プレハブ冷却貯蔵庫の庫内の気圧は変動している。そして、プレハブ冷却貯蔵庫の庫内の気圧が低下して、プレハブ冷却貯蔵庫の天壁が沈下しようとした際には、連結具や梁などを介して吊りロッドでプレハブ冷却貯蔵庫の天壁を支持することができる。一方、プレハブ冷却貯蔵庫の庫内の気圧が上昇して、プレハブ冷却貯蔵庫の天壁が浮上して反った際には、プレハブ冷却貯蔵庫の天壁の上昇に伴って、梁や連結具が上昇する。この連結具の上昇で連結具の係合穴も上方に移動するが、前述の様に請求項２記載の発明では、吊りロッドはフックで係合穴に引っ掛かっているだけであるので、吊りロッドが連結具の上方への移動を阻止することはなく、天壁の変形量を逃すことができる。そのため、吊りロッドがプレハブ冷却貯蔵庫の天壁を下方に押すことがなく、天壁の破損や、吊りロッドの曲がりの変形を防止することができる。しかも、係合穴は梁ではなく連結具に形成されているので、梁の強度が低下することを防止することができる。したがって、大きな強度を有する重い梁ではなく、軽量の梁を使用することができる。
【図面の簡単な説明】
【図１】図１は実施の形態のプレハブ冷却貯蔵庫用天井吊り具の正面図である。
【図２】図２は図１の II-II断面図である。
【図３】図３は横から見た吊りロッドの下端部、連結具および梁の図である。
【図４】図４は梁同士を連結している連結具の斜視図である。
【図５】図５は連結具の位置調整を説明するための斜視図である。
【図６】図６は天井吊り具が取り付けられているプレハブ冷却貯蔵庫の斜視図である。
【図７】図７はプレハブ冷却貯蔵庫の天壁に取り付けられている従来の天井吊り具の断面図である。
【図８】図８は従来のプレハブ冷却貯蔵庫用天井吊り具の斜視図である。
【図９】図９はプレハブ冷却貯蔵庫用天井吊り具に引っ張り力が加わり変形した状態を示す側面図である。
【符号の説明】
４  天井パネル（天壁）
１８  梁
２６  連結具
３６  係合穴
４１  吊りロッド
４２  吊りロッドのフック
【図１】
0003717658.tif 000002
【図２】
0003717658.tif 000003
【図３】
0003717658.tif 000004
【図４】
0003717658.tif 000005
【図５】
0003717658.tif 000006
【図６】
0003717658.tif 000007
【図７】
0003717658.tif 000008
【図８】
0003717658.tif 000009
【図９】
0003717658.tif 000010